(57)【要約】      （修正有）【課題】地震を検出したときに強制的に電源を投入することができるリモートコントロール機器を提供する。【解決手段】光源１１を有する機器１の電源スイッチ１２のＯＮ／ＯＦＦを入力するリモートコントロール機器４である。地震センサ４５と、リモートコントロール信号を出力する投光４２と、地震センサ４５により感知した震度が所定値以上の場合に光源１１を有する機器の電源をＯＮする信号を投光部４２から出力する制御部４４と、を備える。【選択図】図１
0003185928.tif 000002
【実用新案登録請求の範囲】
【請求項１】
光源を有する機器の電源スイッチのＯＮ／ＯＦＦを入力するリモートコントロール機器において、
地震センサと、
リモートコントロール信号を出力する出力部と、
前記地震センサにより感知した震度が所定値以上の場合に前記光源を有する機器の電源をＯＮする信号を前記出力部から出力する制御部と、を備えるリモートコントロール機器。
【請求項２】
前記光源を有する機器は、照明器具又はテレビ装置である請求項１に記載のリモートコントロール機器。
【請求項３】
前記地震センサにより感知した震度が４以上の場合に、前記電源をＯＮする信号を出力する請求項１又は２に記載の照明器具。
【請求項４】
前記電力供給線は、無停電電源装置を介して前記電源に接続される請求項１〜３のいずれか一項に記載の照明器具。
【請求項５】
前記光源がＬＥＤである請求項１〜４のいずれか一項に記載の照明器具。
【考案の詳細な説明】
【技術分野】
【０００１】
本考案は、地震を検出したときに強制的に電源を投入することができる、照明器具やテレビのリモートコントロール機器に関するものである。
【背景技術】
【０００２】
地震等で停電しても、非難する際の誘導灯として非常灯を点灯させる照明器具が提案されている（特許文献１）。しかしながら、この種の照明器具は停電しない限り非常灯が点灯しない回路構成とされているので、停電しない地震時には照明器具のスイッチを入れる操作が必要となり、逃げ遅れたりするという問題がある。特に近年普及している照明器具やテレビジョン装置などはリモートコントロール機器により本体の電源をＯＮ／ＯＦＦするものが多く、固定のＯＮ／ＯＦＦスイッチが設けられていないものもある。
【先行技術文献】
【特許文献】
【０００３】
【特許文献１】特開２００９−２７２１３５号公報
【考案の概要】
【考案が解決しようとする課題】
【０００４】
本考案が解決しようとする課題は、地震を検出したときに強制的に電源を投入することができるリモートコントロール機器を提供することである。
【課題を解決するための手段】
【０００５】
本考案は、リモートコントロール機器の本体に、所定値以上の震度を感知したらリモートコントロール対象の電源スイッチを自動入力する回路を備えることにより、上記課題を解決する。
【考案の効果】
【０００６】
本考案によれば、所定値以上の震度を感知したらリモートコントロール対象の電源スイッチが自動入力し、これにより照明器具であれば光源が点灯し、テレビ装置であれば画像が表示されるので、停電しない地震が発生しても暗所を自動的に照明することができ、照明器具のスイッチを入力する操作が不要となる。その結果、暗所で衝突して怪我をしたり逃げ遅れたりすることがなくなり、安全に非難することができる。
【図面の簡単な説明】
【０００７】
【図１】本考案の一実施の形態に係るリモートコントロール機器を備えた照明器具を示す電気回路図である。
【考案を実施するための形態】
【０００８】
本考案に係るリモートコントロール機器を備えた照明器具１は、家屋内外に設けられ、地震災害時に非常用照明として機能する照明器具あり、ＬＥＤ光源１１と、商用交流電源２からＬＥＤ光源１１へ電力を供給する電力供給線１７と、交流電力を整流して直流電力に変換する整流回路１５と、整流された直流電力をＬＥＤ光源の定格電圧に降圧する降圧回路１６と、手動入切スイッチ１４と、リモートコントロール機器４と、を備える。なお、必要に応じて手動入切スイッチ１４を省略してもよい。
【０００９】
また、商用交流電源２と照明器具１との間には無停電電源装置３が設けられている。本例の無停電電源装置３は、商用交流電源２の交流電力を直流電力に変換するＡＣ／ＤＣ変換回路３１と、変換された直流電力を蓄電するバッテリ３２と、変換された直流電力を再び交流電力に変換するＤＣ／ＡＣ変換回路３３と、変換された交流電力を整流する波形整形回路３４とを備える。なお、波形整形回路３４は、変圧器やフィルタ回路などで構成されている。そして、商用電源２が停電した場合にはバッテリ３２がＤＣ／ＡＣ変換回路３３の電力供給源となり、停電しない場合には商用電源２がＤＣ／ＡＣ変換回路３３の電力供給源となる。
【００１０】
したがって、本例の照明器具１は、非停電時には無停電電源装置３を介して商用交流電源２から供給される交流電力が電力供給線１７から供給され、停電時には無停電電源装置３のバッテリ３２から供給される交流電力が電力供給線１７から供給される。そして、手動入切スイッチ１４をＯＮするか又はリモートコントロール機器４からＯＮ信号を送信することでＬＥＤ光源１１が点灯し、手動入切スイッチ１４をＯＦＦするか又はリモートコントロール機器４からＯＦＦ信号を送信することでＬＥＤ光源１１が消灯する。
【００１１】
本例のリモートコントロール機器４は、携帯可能な筐体４１内に、ＯＮ／ＯＦＦ信号を送信する投光部４２と、操作者によるＯＮ／ＯＦＦ指令を入力するボタンなどで構成される入力部４３と、地震の震度を感知する地震センサ４５と、入力部４３及び地震センサ４５からの入力信号に基づいて投光部４２を制御する制御部４４と、電池４６とを備える。投光部４２は、赤外線などの光信号をＯＮ／ＯＦＦ信号に応じて所定周波数に変調して出力する。また電池４６は制御部４４及び地震センサ４５が電気式地震センサで構成される場合は当該地震センサ４５に電力を供給する。
【００１２】
地震センサ４５は、機械式又は電気式のいずれも採用することができるが、電気式地震センサを採用する場合には、停電時においても当該地震センサにも電力が供給されるように電池４６に接続する必要がある。したがって、機械式地震センサを用いることが望ましい。
【００１３】
制御部４４は、入力部４３から入力されたＯＮ／ＯＦＦ指令に応じて投光部４２からＯＮ／ＯＦＦ信号を出力するよう当該投光部４２を制御する。また、地震センサ４５により感知した震度が、たとえば震度４以上の場合には投光部４２からＯＮ信号を出力するよう当該投光部４２を制御する。
【００１４】
また本例の照明器具１は、リモートコントロール機器４の投光部４２から送信された光信号を受光する受光部１３と、電力供給線１７に直列に設けられ、且つ手動入切スイッチ１４に並列に設けられた入切スイッチ１２をさらに備える。これらを含め、ＬＥＤ光源１１、電力供給線１７の一部、整流回路１５、降圧回路１６及び受光部１３は、照明器具１の筐体１８に収納されている。
【００１５】
本例の入切スイッチ１２は、受光部１３で受光したリモートコントロール機器４からのＯＮ／ＯＦＦ信号に応じてＯＮ／ＯＦＦする。すなわち、リモートコントロール機器４の入力部４３からＯＮ／ＯＦＦ信号が送信された場合には、それに応じて入切スイッチ１２もＯＮ／ＯＦＦする。またこれ以外にも、地震センサ４５により感知した震度が、たとえば震度４以上の場合には、制御部４４によって投光部４２からＯＮ信号が送信されるので、受光部１３を介して入切スイッチ１２がＯＮするように構成されている。
【００１６】
なお、本考案の光源１１はＬＥＤ光源にのみ限定されず、交流電力で作動する白熱灯や蛍光灯も適用することができる。交流電力の光源を用いる場合は、整流回路１５及び降圧回路１６を省略することもできる。また、本考案の照明器具１は、無停電電源装置３を必ずしも必要とせず電力供給線１７を直接商用交流電源２に接続してもよい。また、上述した実施形態では照明器具１のリモートコントロール機器４として本考案を説明したが、テレビジョン装置のリモートコントロール機器４に適用してもよい。この場合も、テレビジョン装置の画面がＯＮすると照明の機能も果たすことになるため、照明器具１と同様の効果を奏することになる。
【００１７】
以上のように、本例の照明器具１によれば、震度が所定以上、たとえば震度４以上の地震が発生すると、リモートコントロール機器４の地震センサ４５がこれを検知し、停電の有無に拘らず自動的に光源１１が点灯する。したがって、非停電時において照明器具１の手動入切スイッチ１４をＯＮする操作が不要となる。その結果、暗所で衝突して怪我をしたり逃げ遅れたりすることがなくなり、安全に非難することができる。
【００１８】
また、無停電電源装置３に接続し、ＬＥＤ光源１１を用いているので、停電時には長時間の照明が可能となり、暗所において必要な家財道具等を持ち出すことができる。
【００１９】
また、光源１１、電力供給線１７の一部、整流回路１５、降圧回路１６及び受光部１３を筐体１８に収納しているので、既存の照明器具に代替が容易となり、さらに既存の照明器具に並べて配置することも容易となる。
【符号の説明】
【００２０】
１…照明器具
１１…ＬＥＤ光源
１２…入切スイッチ
１３…受光部
１４…手動入切スイッチ
１５…整流回路
１６…降圧回路
１７…電力供給線
１８…筐体
２…商用交流電源
３…無停電電源装置
３１…ＡＣ／ＤＣ変換回路
３２…バッテリ
３３…ＤＣ／ＡＣ変換回路
３４…波形整形回路
４…リモートコントロール機器
４１…筐体
４２…投光部
４３…入力部
４４…制御部
４５…地震センサ
４６…電池
【図１】
0003185928.tif 000003
【手続補正書】
【提出日】平成25年7月5日(2013.7.5)
【手続補正１】
【補正対象書類名】実用新案登録請求の範囲
【補正対象項目名】全文
【補正方法】変更
【補正の内容】
【実用新案登録請求の範囲】
【請求項１】
光源を有する機器の電源スイッチのＯＮ／ＯＦＦを入力するリモートコントロール機器において、
地震センサと、
リモートコントロール信号を出力する出力部と、
前記地震センサにより感知した震度が所定値以上の場合に前記光源を有する機器の電源をＯＮする信号を前記出力部から出力する制御部と、を備えるリモートコントロール機器。
【請求項２】
前記光源を有する機器は、照明器具又はテレビ装置である請求項１に記載のリモートコントロール機器。
【請求項３】
前記地震センサにより感知した震度が４以上の場合に、前記電源をＯＮする信号を出力する請求項１又は２に記載のリモートコントロール機器。
【請求項４】
電力供給線は、無停電電源装置を介して前記電源に接続される請求項１〜３のいずれか一項に記載のリモートコントロール機器。
【請求項５】
前記光源がＬＥＤである請求項１〜４のいずれか一項に記載のリモートコントロール機器。